(57)【要約】      （修正有）【課題】間仕切り板が倒れ難く、壁部の高さ方向中央部の強度が高く、組み立てが容易な間仕切りユニットおよびこれを用いた仮設ブースを提供する。【解決手段】組み立て式の間仕切りユニット１は、段ボール板からなる壁面パネル２と、段ボール板からなり、壁面パネル２をその側縁側から支える柱状のジョイント部材４と、を備え、壁面パネル２の側縁には、下向きに突出した鍵部８が複数ヶ所形成され、ジョイント部材４は表面板と裏面板との間に芯材が挟み込まれた積層構造をなし、ジョイント部材４の側縁には、芯材の側縁が露出しており、芯材の側縁には、壁面パネル２の鍵部８と相補的な形状の切欠部３０が複数ヶ所形成されており、壁面パネル２の鍵部８とジョイント部材４の切欠部３０とを係合させることにより、壁面パネル２を連結させることが可能である。【選択図】図１
0003230260.tif 000002
【実用新案登録請求の範囲】
【請求項１】
組み立て式の間仕切りユニットであって、
段ボール板からなる壁面パネルと、段ボール板からなり、前記壁面パネルをその側縁側から支える柱状のジョイント部材と、を備え、
前記壁面パネルの側縁には、下向きに突出した鍵部が複数ヶ所形成され、
前記ジョイント部材は表面板と裏面板との間に芯材が挟み込まれた積層構造をなし、
前記ジョイント部材の側縁には、前記芯材の側縁が露出しており、
前記芯材の側縁には、前記壁面パネルの前記鍵部と相補的な形状の切欠部が複数ヶ所形成されており、
前記壁面パネルの前記鍵部と前記ジョイント部材の前記切欠部とを係合させることにより、前記壁面パネルを連結させることが可能であるもの。
【請求項２】
請求項１に記載の間仕切りユニットであって、
前記芯材を構成する段ボール板が平面視Ｚ字型となるように折り畳まれ、前記芯材が３層構造をなすもの。
【請求項３】
請求項１または２に記載の間仕切りユニットであって、
前記ジョイント部材として、平面視形状がＩ字型のＩ字ジョイントを備え、
前記Ｉ字ジョイントの２つの側縁に、前記芯材の側縁および前記切欠部が露出しているもの。
【請求項４】
請求項１から３のいずれか一項に記載の間仕切りユニットであって、
前記ジョイント部材として、平面視形状がＴ字型のＴ字ジョイントを備え、
前記Ｔ字ジョイントの３つの側縁に、前記芯材の側縁および前記切欠部が露出しているもの。
【請求項５】
請求項１から４のいずれか一項に記載の間仕切りユニットであって、
前記ジョイント部材を構成する前記表面板と前記裏面板の側縁側の端部が内側に折り込まれ、前記表面板と前記裏面板を構成する段ボール板の切断端面が前記ジョイント部材の側縁に露出していないもの。
【請求項６】
請求項１から５のいずれか一項に記載の間仕切りユニットであって、
前記壁面パネルを構成する段ボール板のフルートを水平方向に配向させたもの。
【請求項７】
請求項１から６のいずれか一項に記載の間仕切りユニットであって、
前記壁面パネルを構成する段ボール板および前記ジョイント部材を構成する段ボール板がいずれも、段ボール板の表面および／または裏面にシート紙を貼り合わせてなる合紙段ボール板であるもの。
【請求項８】
請求項７に記載の間仕切りユニットであって、
前記壁面パネルには高さ方向中央部に水平方向に延びるスリットが形成され、前記壁面パネルを構成する前記段ボール板が前記スリットによってパネル上部とパネル下部とに分割されており、
前記パネル上部と前記パネル下部とが、前記壁面パネルを構成する前記段ボール板の表面に貼り合わされた前記シート紙によって連結され、
前記壁面パネルが上下方向に折り畳みが可能となっているもの。
【請求項９】
請求項７または８に記載の間仕切りユニットであって、
前記ジョイント部材には高さ方向中央部に水平方向に延びるスリットが形成され、前記ジョイント部材を構成する前記段ボール板が前記スリットによってジョイント上部とジョイント下部とに分割されており、
前記ジョイント上部と前記ジョイント下部とが、前記ジョイント部材を構成する前記段ボール板の表面に貼り合わされた前記シート紙によって連結され、
前記ジョイント部材が上下方向に折り畳みが可能となっているもの。
【請求項１０】
仮設ブースであって、
請求項１から９のいずれか一項に記載の間仕切りユニットを用い、
少なくとも４枚の前記壁面パネルが前記ジョイント部材によって連結され、居室空間を四方から包囲する壁が形成されているもの。
【考案の詳細な説明】
【技術分野】
【０００１】
本考案は、例えば災害時の集合避難所等において独立した居住空間を形成するための間仕切りユニットおよびこれを用いた仮設ブースに関するものである。
【背景技術】
【０００２】
地震や台風等の災害時には体育館等の集合避難所において、多くの人が同じ空間で避難生活を過ごすことになる。このような集合避難所においては個々の避難者のプライバシーが保護されないと快適な避難生活を送ることが難しくなる。
【０００３】
そこで、個々の避難者の独立性を確保するために、簡易的に設置することができる組み立て式の間仕切り、特に軽量で丈夫な段ボール製の間仕切りが提案されている。
【０００４】
例えば、広幅・長尺の段ボールの面に、長さ方向に沿って一定幅で交互に谷折りおよび山折り可能にされた折り目が設けられてなる単位を一単位体とし、複数の単位体を順次連接するように構成した避難所用間仕切りユニット体が提案されている（特許文献１）。
【０００５】
また、連続した一連の段ボール板で構成された間仕切り板を有し、前記間仕切り板を折り曲げて小空間を形成し、前記間仕切り板の上下部直線やコーナー部分に固定フレームを設置し、その形状を維持補強する間仕切りユニットが提案されている（特許文献２）。
【０００６】
また、６面構成の箱体に形成された複数の単位パネルを備え、前記複数の単位パネルを一文字連結、Ｌ字連結、Ｔ字連結、十文字連結等の連結方法により組み立てる段ボール製の組立て間仕切りが提案されている（特許文献３）。
【０００７】
更に、側辺に連結小孔が形成された複数枚の間仕切り板と、連結ベルトと、を備え、前記連結ベルトを前記複数枚の間仕切り板の対応する前記連結小孔に貫通させ、前記複数枚の間仕切り板を結束する間仕切りユニットが提案されている（特許文献４）。
【０００８】
更に、１枚のダンボール板を折り曲げ、側面視で略逆Ｖ字型の壁部を構成する段ボール間仕切りが提案されている（特許文献５）。
【先行技術文献】
【特許文献】
【０００９】
【特許文献１】特開２００６−２７４７４０号公報
【特許文献２】特開２００６−２７４８０１号公報
【特許文献３】特開２００６−１６１５２３号公報
【特許文献４】特開２００７−１１３３６６号公報
【特許文献５】特開２０１０−２５５２３８号公報
【考案の概要】
【考案が解決しようとする課題】
【００１０】
しかし、特許文献１に記載の避難所用間仕切りユニット体は、単に段ボールを交互に谷折りおよび山折りした構造であるため、間仕切り板の位置を固定することができず、間仕切り板が倒れやすいという課題があった。
【００１１】
また、特許文献２に記載の間仕切りユニットは、段ボール板で構成された間仕切り板を、間仕切り板の直線部やコーナー部の上下に設置した固定フレームで補強する構造であるために、ちょっとした衝撃や振動で固定フレームが外れるおそれがあることに加え、間仕切り板の高さ方向中央部の強度が低いという課題があった。
【００１２】
更に、特許文献３に記載の組立て間仕切りは、単位パネルを６面構成の箱体に形成する必要があり、組み立てが面倒であるという課題があった。
【００１３】
更にまた、特許文献４に記載の間仕切りユニットは、間仕切り板を連結ベルトで結束する必要があり、組み立てが面倒であるという課題があった。
【００１４】
また、特許文献５に記載の段ボール間仕切りは、１枚の段ボール板を折り曲げて側面視略逆Ｖ字型の壁部を構成するため、壁部の高さ方向中央部の強度が低いという課題があった。また、１枚の段ボール板の複数ヶ所を折り曲げ、更に接合片を嵌合穴に挿し込むことで壁部を構成するため、組み立てが面倒であるという課題があった。
【００１５】
以上説明したように、従来提案されてきた段ボール製の間仕切りには、間仕切り板が倒れやすい；壁部の高さ方向中央部の強度が低い；組み立てが面倒である；という課題があった。
【００１６】
本考案は、前記従来技術が有する課題を解決するものである。すなわち、本考案は、間仕切り板が倒れ難く、壁部の高さ方向中央部の強度が高く、組み立てが容易な間仕切りユニットおよびこれを用いた仮設ブースを提供するものである。
【課題を解決するための手段】
【００１７】
本考案者らは、前記従来技術が有する課題を解決すべく鋭意検討を重ねた結果、
（１）間仕切りユニットを、段ボール板からなる壁面パネルと、段ボール板からなり、前記壁面パネルをその側縁側から支える柱状のジョイント部材と、から構成すること；
（２）前記ジョイント部材を表面板と裏面板との間に芯材が挟み込まれた積層構造とすること；
（３）前記壁面パネルの側縁に下向きに突出した鍵部を複数ヶ所形成し、前記芯材の側縁に前記壁面パネルの前記鍵部と相補的な形状の切欠部を複数ヶ所形成し、前記壁面パネルの前記鍵部と前記ジョイント部材の前記切欠部とを係合させることにより、前記壁面パネルを連結させること；
によって、前記従来技術が有する課題を解決可能であることを見出して、本考案を完成するに至った。即ち、以下に示す本考案によって前記課題は解決される。
【００１８】
［１］間仕切りユニット：
本考案の間仕切りユニットは、以下の構成を有する。
組み立て式の間仕切りユニットであって、段ボール板からなる壁面パネルと、段ボール板からなり、前記壁面パネルをその側縁側から支える柱状のジョイント部材と、を備え、前記壁面パネルの側縁には、下向きに突出した鍵部が複数ヶ所形成され、前記ジョイント部材は表面板と裏面板との間に芯材が挟み込まれた積層構造をなし、前記ジョイント部材の側縁には、前記芯材の側縁が露出しており、前記芯材の側縁には、前記壁面パネルの前記鍵部と相補的な形状の切欠部が複数ヶ所形成されており、前記壁面パネルの前記鍵部と前記ジョイント部材の前記切欠部とを係合させることにより、前記壁面パネルを連結させることが可能であるもの。
【００１９】
本考案の間仕切りユニットは、以下の構成であることが好ましい。
前記芯材を構成する段ボール板が平面視Ｚ字型となるように折り畳まれ、前記芯材が３層構造をなすもの。
前記ジョイント部材として、平面視形状がＩ字型のＩ字ジョイントを備え、前記Ｉ字ジョイントの２つの側縁に、前記芯材の側縁および前記切欠部が露出しているもの。
前記ジョイント部材として、平面視形状がＴ字型のＴ字ジョイントを備え、前記Ｔ字ジョイントの３つの側縁に、前記芯材の側縁および前記切欠部が露出しているもの。
前記ジョイント部材を構成する前記表面板と前記裏面板の側縁側の端部が内側に折り込まれ、前記表面板と前記裏面板を構成する段ボール板の切断端面が前記ジョイント部材の側縁に露出していないもの。
前記壁面パネルを構成する段ボール板のフルートを水平方向に配向させたもの。
前記壁面パネルを構成する段ボール板および前記ジョイント部材を構成する段ボール板がいずれも、段ボール板の表面および／または裏面にシート紙を貼り合わせてなる合紙段ボール板であるもの。
前記壁面パネルには高さ方向中央部に水平方向に延びるスリットが形成され、前記壁面パネルを構成する前記段ボール板が前記スリットによってパネル上部とパネル下部とに分割されており、前記パネル上部と前記パネル下部とが、前記壁面パネルを構成する前記段ボール板の表面に貼り合わされた前記シート紙によって連結され、前記壁面パネルが上下方向に折り畳みが可能となっているもの。
前記ジョイント部材には高さ方向中央部に水平方向に延びるスリットが形成され、前記ジョイント部材を構成する前記段ボール板が前記スリットによってジョイント上部とジョイント下部とに分割されており、前記ジョイント上部と前記ジョイント下部とが、前記ジョイント部材を構成する前記段ボール板の表面に貼り合わされた前記シート紙によって連結され、前記ジョイント部材が上下方向に折り畳みが可能となっているもの。
【００２０】
［２］仮設ブース：
本考案の仮設ブースは、以下の構成を有する。
仮設ブースであって、前記［１］に記載の間仕切りユニットを用い、少なくとも４枚の前記壁面パネルが前記ジョイント部材によって連結され、居室空間を四方から包囲する壁が形成されているもの。
【考案の効果】
【００２１】
本考案の組み立て式の間仕切りユニットおよび仮設ブースは、間仕切り板が倒れ難く、壁部の高さ方向中央部の強度が高く、組み立てが容易である。
【図面の簡単な説明】
【００２２】
【図１】本考案の間仕切りユニットの一の実施形態を模式的に示す平面図および斜視図である。
【図２】図１に示す間仕切りユニットの構成要素である壁面パネルを模式的に示す平面図である。
【図３】図１に示す間仕切りユニットの構成要素であるＩ字ジョイントを模式的に示す斜視図である。
【図４】図３に示すＩ字ジョイントの構成要素である芯材を模式的に示す平面図である。
【図５】図４に示す芯材を展開した状態を模式的に示す展開図である。
【図６】図１に示したＴ字ジョイントを模式的に示す斜視図である。
【図７】本考案の仮設ブースの一の実施形態を模式的に示す斜視図である。
【考案を実施するための形態】
【００２３】
以下、図面を参照しながら、本考案を実施するための形態について具体的に説明する。ただし、本考案はその特定事項を満たす全ての実施形態を包含するものであり、以下に示す実施形態のみに限定されるものではない。
【００２４】
［１］本考案の間仕切りユニットの特徴：
本考案の間仕切りユニットは、図１に示す間仕切りユニット１のように、
（１）間仕切りユニット１が、段ボール板からなる壁面パネル２と、段ボール板からなり、壁面パネル２をその側縁側から支える柱状のジョイント部材４と、から構成されている点；
（２）ジョイント部材４を表面板と裏面板との間に芯材が挟み込まれた積層構造とした点；
（３）壁面パネル２の側縁に下向きに突出した鍵部８を複数ヶ所形成し、芯材の側縁に壁面パネル２の鍵部８と相補的な形状の切欠部３０を複数ヶ所形成し、壁面パネル２の鍵部８とジョイント部材４の切欠部３０とを係合させることにより、壁面パネル２を連結させる点；
に特徴がある。
【００２５】
前記（１）の構成を採用することにより、予め用意されたパーツ（壁面パネルとジョイント部材）を組み合わせるだけで仮設ブースを組み立てることができ、仮設ブースの組み立てが容易である；壁面パネルの側縁を柱状のジョイント部材で支えているために、間仕切り板が倒れ難く、壁部の高さ方向中央部の強度が高い；という利点がある。
【００２６】
前記（２）の構成を採用することにより、ジョイント部材の強度が増し、間仕切り板が倒れ難く、壁部の高さ方向中央部の強度が高いという利点がある。
【００２７】
前記（３）の構成を採用することにより、壁面パネルの鍵部をジョイント部材の切欠部に引っ掛けるのみで壁面パネルを連結させることができ、仮設ブースの組み立てが容易であるという利点がある。
【００２８】
［２］本考案の間仕切りユニットの構成：
図１に示す間仕切りユニット１は、組み立て式の間仕切りユニットである。間仕切りユニット１は、壁面パネル２と、ジョイント部材４と、を備える。
【００２９】
［２−１］壁面パネル：
図１および図２に示す壁面パネル２は、段ボールからなる板状の部材である。
【００３０】
壁面パネル２の側縁には、下向きに突出した鍵部８が複数ヶ所形成されている。鍵部８は壁面パネル２と一体的に形成されている。具体的には、壁面パネル２がその側縁から幅方向に向かって延出され、下方に向かって凸となる形状に形成されている。この凸形状の部分がジョイント部材４の切欠部３０に係合される。
【００３１】
壁面パネル２を構成する段ボールはそのフルートが水平方向に配向するように配置されている（横目配置）。フルートが鉛直方向に配向するように段ボールを配置した場合、ジョイント部材４とジョイント部材４の間で壁面パネル２が中折れし易くなる。段ボールを横目配置とすると、柱状のジョイント部材４が壁面パネル２の鉛直方向の強度を向上させ、横目配置の段ボール板が壁面パネル２の水平方向の強度を向上させる。このため、壁面パネル２が折れ難くなり、壁面パネル２の強度を向上させることができる。
【００３２】
壁面パネル２を構成する段ボールは段ボールの表面および／または裏面にシート紙を貼り合わせてなる合紙段ボール板である。合紙段ボール板は通常の段ボール板よりも強度が高いため好適に用いることができる。また、合紙段ボール板は白色または着色のシート紙を貼り合わせることで、或いはシート紙に印刷を施すことで、壁面パネル２の美粧性を向上させることもできる。合紙段ボール板においてはシート紙として白色のコート紙を用いている。
【００３３】
壁面パネル２には高さ方向中央部に水平方向に延びるスリット１６が形成されている。また、壁面パネル２を構成する段ボールがスリット１６によってパネル上部１８とパネル下部２０とに分割されている。そして、パネル上部１８とパネル下部２０とが、壁面パネル２を構成する段ボールの表面に貼り合わされたシート紙によって連結されている。このような構造によれば、壁面パネル２が上下方向に折り畳み可能となり、比較的高さのある間仕切りでもコンパクトに収納することができる。
【００３４】
［２−２］ジョイント部材：
図１、図３および図６に示すジョイント部材４は、段ボールからなり、壁面パネル２をその側縁側から支える柱状の部材である。壁面パネル２をその側縁側から支えるため、壁面パネル２と同程度の高さに構成されている。
【００３５】
ジョイント部材４は表面板２４と裏面板２６との間に芯材２８が挟み込まれた積層構造をなしている。図４に芯材２８を平面視した構造を示す。
【００３６】
ジョイント部材４の側縁には芯材２８の側縁が露出している。また、芯材２８の側縁には、壁面パネル２の鍵部８と相補的な形状の切欠部３０が複数ヶ所形成されている。
【００３７】
そして、壁面パネル２の鍵部８とジョイント部材４の切欠部３０とを係合させることにより、複数の壁面パネル２を連結させることが可能である。
【００３８】
芯材２８を構成する段ボールは平面視Ｚ字型となるように折り畳まれ、芯材２８が３層構造をなしている。ここでいう「平面視」とは、間仕切りユニット１の使用状態（即ち、ジョイント部材４を起立させた状態）において、ジョイント部材４を上方から見ることを意味する。このような３層構造は、ジョイント部材４の強度が増し、間仕切り板が倒れ難くなり、また、壁部の高さ方向中央部の強度を向上させることができる。
【００３９】
図５は芯材２８の展開図である。芯材２８は切り込み線３６の部分を山折りに、折り線３８の部分を谷折りにし、平面視Ｚ字型となるように折り畳むことにより、３層構造に形成される。切り込み線３６は段ボール板の折り曲げを容易にするために形成されている。
【００４０】
間仕切りユニット１は、ジョイント部材４として、平面視形状がＩ字型のＩ字ジョイント３２を備えている。Ｉ字ジョイント３２においては、その２つの側縁に、芯材２８の側縁および切欠部３０が露出している。このＩ字ジョイント３２は、壁面パネル２を同方向に並べて連結させるためのジョイント部材である。
【００４１】
また、間仕切りユニット１は、ジョイント部材４として、平面視形状がＴ字型のＴ字ジョイント３４を備え、Ｔ字ジョイント３４の３つの側縁に、芯材２８の側縁および切欠部３０が露出している。このＴ字ジョイント３４は、壁面パネル２を直交する方向に並べて連結させるためのジョイント部材である。即ち、仮設ブースのコーナー部におけるジョイント部材として好適に用いることができる。
【００４２】
ジョイント部材４を構成する表面板２４と裏面板２６の側縁側の端部は内側に折り込まれている。即ち、表面板２４と裏面板２６を構成する段ボールの切断端面がジョイント部材４の側縁に露出していない。段ボールの切断端面がジョイント部材４の側縁に露出している場合、段ボールの切断端面に壁面パネル２の鍵部８先端が引っ掛かり、ジョイント部材４の切欠部３０にスムーズに挿し込むことが難しくなるおそれがある。一方、段ボールの切断端面をジョイント部材４の側縁に露出させない構造とすると、ジョイント部材４の切欠部３０に壁面パネル２の鍵部８をスムーズに挿し込むことが可能となる。
【００４３】
ジョイント部材４を構成する段ボールは段ボールの表面および／または裏面にシート紙を貼り合わせてなる合紙段ボール板である。合紙段ボール板は通常の段ボール板よりも強度が高いため好適に用いることができる。また、合紙段ボール板は白色または着色のシート紙を貼り合わせることで、或いはシート紙に印刷を施すことで、ジョイント部材４の美粧性を向上させることもできる。合紙段ボール板においてはシート紙として白色のコート紙を用いている。
【００４４】
ジョイント部材４には高さ方向中央部に水平方向に延びるスリット４０が形成されている。また、ジョイント部材４を構成する段ボールがスリット４０によってジョイント上部４２とジョイント下部４４とに分割されている。そして、ジョイント上部４２とジョイント下部４４とが、ジョイント部材４を構成する段ボールの表面に貼り合わされたシート紙によって連結されている。このような構造によれば、ジョイント部材４が上下方向に折り畳み可能となり、比較的高さのある間仕切りでもコンパクトに収納することができる。
【００４５】
［３］本考案の仮設ブースの構成：
本考案の仮設ブースは、本考案の間仕切りユニットを用い、少なくとも４枚の壁面パネルがジョイント部材によって連結され、居室空間を四方から包囲する壁が形成されているものである。
【００４６】
図７に示す仮設ブース５０は、図１に示す間仕切りユニット１を用いて組み立てた仮設ブースである。具体的には、壁面パネル２、ジョイント部材４（Ｉ字ジョイント３２およびＴ字ジョイント３４）、更にゲート５２を構成部材としている。
【００４７】
仮設ブース５０においては、７枚の壁面パネルが用いられている。７枚の壁面パネルは図１および図２に示す壁面パネル２である。出入口となる部分には壁面パネル２を設置せず、ゲート５２を設置している。ゲート５２は壁面パネル２と同様の段ボール板からなる。そして、ゲート５２の両側縁部には壁面パネルと同様の鍵部が形成されており、Ｉ字ジョイント３２やＴ字ジョイント３４の切欠部３０に係合可能に構成されている。
【００４８】
壁面パネル２およびゲート５２は、ジョイント部材４によって連結され、居室空間を四方から包囲する壁が形成されている。壁面パネル２および／またはゲート５２を同方向に並べて連結する箇所にはジョイント部材４としてＩ字ジョイント３２を用いている。壁面パネル２および／またはゲート５２を同方向に直交する方向に並べて連結させる箇所（即ち、仮設ブースのコーナー部）にはジョイント部材４としてＴ字ジョイント３４を用いている。
【００４９】
仮設ブース５０は大人４人で使用することを想定したサイズに形成されている。ブースサイズは幅２２００ｍｍ×奥行き２２００ｍｍ×高さ１８００ｍｍとした。なお、コーナー部にＴ字ジョイント３４を使用しているため、更にブースを連結することもできる。
【産業上の利用可能性】
【００５０】
本考案の間仕切りユニットは、組み立てが容易であるため、例えば、地震や台風等の災害時に、体育館等の集合避難所に仮設ブースを設置する用途で利用することができる。また、本考案の間仕切りユニットは、例えば、新型コロナウイルス感染症対策の一環として、学校の保健室や医療機関の病室における感染防止用個室を設置する用途で利用することができる。
【符号の説明】
【００５１】
１：ユニット
２：壁面パネル
４：ジョイント部材
８：鍵部
１６：スリット
１８：パネル上部
２０：パネル下部
２４：表面板
２６：裏面板
２８：芯材
３０：切欠部
３２：Ｉ字ジョイント
３４：Ｔ字ジョイント
３６：切り込み線
３８：折り線
４０：スリット
４２：ジョイント上部
４４：ジョイント下部
５０：仮設ブース
５２：ゲート
【図１】
0003230260.tif 000003
【図２】
0003230260.tif 000004
【図３】
0003230260.tif 000005
【図４】
0003230260.tif 000006
【図５】
0003230260.tif 000007
【図６】
0003230260.tif 000008
【図７】
0003230260.tif 000009